(57)【要約】【課題】大画面・高輝度パネルであっても、書込み放電を発生させるために必要な電圧を高くすることなく、安定した書込み放電を発生させることができ、画像表示品質のよいパネルの駆動方法およびプラズマディスプレイ装置を提供する。【解決手段】１フィールド期間内に、放電セルで選択的に書込み放電を発生させる書込み期間と輝度重みに応じた回数の維持パルスを印加して書込み放電を発生させた放電セルで維持放電を発生させる維持期間とを有するサブフィールドを複数設け、最後の維持放電である消去放電を発生させるための電圧Ｖｓを走査電極ＳＣ１〜ＳＣｎに印加した後、消去位相差Ｔｈ１の期間をおいて表示電極対の電極間の電位差を緩和するための電圧Ｖｅ１を維持電極ＳＵ１〜ＳＵｎに印加し、かつ消去位相差Ｔｈ１の期間内に電圧Ｖｄをデータ電極Ｄ１〜Ｄｍに印加する。【選択図】図４
2007232827.tif 000002
【特許請求の範囲】
【請求項１】
走査電極と維持電極とからなる表示電極対とデータ電極とを有する放電セルを複数備えたプラズマディスプレイパネルの駆動方法であって、
前記放電セルで初期化放電を発生させる初期化期間と、前記放電セルで選択的に書込み放電を発生させる書込み期間と、輝度重みに応じた回数の維持パルスを印加して選択した放電セルで維持放電を発生させる維持期間とを有するサブフィールドを１フィールド期間内に複数設け、
前記維持期間において、最後の維持放電を発生させるための電圧を前記表示電極対の一方に印加した後、所定の時間間隔を置いて、前記表示電極対の電極間の電位差を緩和するための電圧を他方の前記表示電極対に印加するとともに、前記所定の時間間隔内に正の電圧を前記データ電極に印加することを特徴とするプラズマディスプレイパネルの駆動方法。
【請求項２】
少なくとも輝度重みが最も小さいサブフィールドの前記維持期間における前記最後の維持放電において、正の電圧を前記データ電極に印加することを特徴とする請求項１に記載のプラズマディスプレイパネルの駆動方法。
【請求項３】
前記サブフィールドは、前記初期化期間において画像表示を行う全ての放電セルに対して初期化放電を発生させる全セル初期化サブフィールドと、前記初期化期間において直前のサブフィールドで維持放電を発生した放電セルで選択的に初期化放電を発生させる選択初期化サブフィールドとのいずれかであり、前記全セル初期化サブフィールドの直前のサブフィールドの前記維持期間における前記最後の維持放電において、正の電圧を前記データ電極に印加することを特徴とする請求項１に記載のプラズマディスプレイパネルの駆動方法。
【請求項４】
輝度重みが最も小さいサブフィールドの直後のサブフィールドを前記全セル初期化サブフィールドとすることを特徴とする請求項３に記載のプラズマディスプレイパネルの駆動方法。
【請求項５】
走査電極と維持電極とからなる表示電極対とデータ電極とを有する放電セルを複数備えたプラズマディスプレイパネルと、前記表示電極対を駆動する駆動回路と、前記データ電極を駆動する駆動回路とを備え、１フィールド期間に、前記放電セルで初期化放電を発生させる初期化期間と、前記放電セルで書込み放電を発生させる書込み期間と、選択した放電セルで維持放電を発生させる維持期間とを有するサブフィールドを複数設けたプラズマディスプレイ装置であって、
前記維持期間において、前記表示電極対を駆動する駆動回路は、最後の維持放電を発生させるための電圧を前記表示電極対の一方に印加した後、所定の時間間隔を置いて、前記表示電極対の電極間の電位差を緩和するための電圧を他方の前記表示電極対に印加し、前記データ電極を駆動する駆動回路は、前記所定の時間間隔内に正の電圧を前記データ電極に印加するように構成したことを特徴とするプラズマディスプレイ装置。
【発明の詳細な説明】
【技術分野】
【０００１】
本発明は、壁掛けテレビや大型モニターに用いられるプラズマディスプレイパネルの駆動方法およびプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極との対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。各サブフィールドは、初期化期間、書込み期間および維持期間を有し、初期化期間では初期化放電を発生し、続く書込み動作に必要な壁電荷を各電極上に形成する。書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００４】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた新規な駆動方法が開示されている。
【０００５】
具体的には、複数のサブフィールドのうち、１つのサブフィールドの初期化期間において全ての放電セルを放電させる全セル初期化動作を行い、他のサブフィールドの初期化期間においては維持放電を行った放電セルのみ初期化する選択初期化動作を行う。その結果、表示に関係のない発光は全セル初期化動作の放電に伴う発光のみとなりコントラストの高い画像表示が可能となる（例えば、特許文献１参照）。
【０００６】
このように駆動することによって、画像の表示に関係のない発光に依存して変化する黒表示領域の輝度は全セル初期化動作における微弱発光だけとなり、コントラストの高い画像表示が可能となる。
【０００７】
また、特許文献１には、維持期間における最後の維持パルスのパルス幅を他の維持パルスのパルス幅よりも短くし、表示電極対間の壁電荷による電位差を緩和する、いわゆる細幅消去放電についても記載されている。この細幅消去放電を安定して発生させることによって、続くサブフィールドの書込み期間において確実な書込み動作を行うことができ、コントラスト比の高いプラズマディスプレイ装置を実現することができる。
【特許文献１】特開２０００−２４２２２４号公報
【発明の開示】
【発明が解決しようとする課題】
【０００８】
しかしながら、最近のパネルの大画面化、あるいは高輝度化に伴い細幅消去放電が不安定となる傾向があり、そのため書込み放電が不安定となって、表示を行うべき放電セルで書込み放電が発生せず画像表示品質を劣化させる、あるいは書込み放電を発生させるために必要な電圧が高くなる等の問題が生じてきた。
【０００９】
本発明はこれらの課題に鑑みなされたものであり、大画面・高輝度パネルであっても、書込み放電を発生させるために必要な電圧を高くすることなく、安定した書込み放電を発生させ、画像表示品質のよいパネルの駆動方法およびプラズマディスプレイ装置を提供することを目的とする。
【課題を解決するための手段】
【００１０】
本発明は、走査電極と維持電極とからなる表示電極対とデータ電極とを有する放電セルを複数備えたパネルの駆動方法であって、放電セルで初期化放電を発生させる初期化期間と、放電セルで選択的に書込み放電を発生させる書込み期間と、輝度重みに応じた回数の維持パルスを印加して選択した放電セルで維持放電を発生させる維持期間とを有するサブフィールドを１フィールド期間内に複数設け、維持期間において、最後の維持放電を発生させるための電圧を表示電極対の一方に印加した後、所定の時間間隔を置いて、表示電極対の電極間の電位差を緩和するための電圧を他方の表示電極対に印加するとともに、上述の所定の時間間隔内に正の電圧をデータ電極に印加することを特徴とする。これにより、大画面・高輝度パネルであっても、書込み放電を発生させるために必要な電圧を高くすることなく、安定した書込み放電を発生させることが可能となる。
【００１１】
また、本発明のパネルの駆動方法では、少なくとも輝度重みが最も小さいサブフィールドの維持期間における最後の維持放電において、正の電圧をデータ電極に印加することが望ましい。
【００１２】
また、本発明のパネルの駆動方法では、サブフィールドは、初期化期間において画像表示を行う全ての放電セルに対して初期化放電を発生させる全セル初期化サブフィールドと、初期化期間において直前のサブフィールドで維持放電を発生した放電セルで選択的に初期化放電を発生させる選択初期化サブフィールドとのいずれかであり、全セル初期化サブフィールドの直前のサブフィールドの維持期間における最後の維持放電において、正の電圧をデータ電極に印加することが望ましい。
【００１３】
また、本発明のパネルの駆動方法では、輝度重みが最も小さいサブフィールドの直後のサブフィールドを全セル初期化サブフィールドとすることが望ましい。
【００１４】
また、本発明は、走査電極と維持電極とからなる表示電極対とデータ電極とを有する放電セルを複数備えたパネルと、表示電極対を駆動する駆動回路と、データ電極を駆動する駆動回路とを備え、１フィールド期間に、放電セルで初期化放電を発生させる初期化期間と、放電セルで書込み放電を発生させる書込み期間と、選択した放電セルで維持放電を発生させる維持期間とを有するサブフィールドを複数設けたプラズマディスプレイ装置であって、維持期間において、表示電極対を駆動する駆動回路は、最後の維持放電を発生させるための電圧を表示電極対の一方に印加した後、所定の時間間隔を置いて、表示電極対の電極間の電位差を緩和するための電圧を他方の表示電極対に印加し、データ電極を駆動する駆動回路は、所定の時間間隔内に正の電圧をデータ電極に印加するように構成したことを特徴とする。これにより、大画面・高輝度パネルであっても、書込み放電を発生させるために必要な電圧を高くすることなく、安定した書込み放電を発生させることが可能となる。
【発明の効果】
【００１５】
本発明によれば、大画面・高輝度パネルであっても、書込み放電を発生させるために必要な電圧を高くすることなく、安定した書込み放電を発生させ、画像表示品質のよいパネルの駆動方法およびプラズマディスプレイ装置を提供することが可能となる。
【発明を実施するための最良の形態】
【００１６】
以下、本発明の実施の形態におけるプラズマディスプレイ装置について、図面を用いて説明する。
【００１７】
（実施の形態１）
図１は、本発明の実施の形態１におけるパネル１０の構造を示す分解斜視図である。ガラス製の前面板２１上には、走査電極２２と維持電極２３とからなる表示電極対２８が複数形成されている。そして走査電極２２と維持電極２３とを覆うように誘電体層２４が形成され、その誘電体層２４上に保護層２５が形成されている。背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００１８】
これら前面板２１と背面板３１とは、微小な放電空間を挟んで表示電極対２８とデータ電極３２とが交差するように対向配置され、その外周部をガラスフリット等の封着材によって封着されている。そして放電空間には、例えばネオンとキセノンの混合ガスが放電ガスとして封入されている。本実施の形態においては、輝度向上のためにキセノン分圧を１０％とした放電ガスが用いられている。放電空間は隔壁３４によって複数の区画に仕切られており、表示電極対２８とデータ電極３２とが交差する部分に放電セルが形成されている。そしてこれらの放電セルが放電、発光することにより画像が表示される。
【００１９】
なお、パネルの構造は上述したものに限られるわけではなく、例えばストライプ状の隔壁を備えたものであってもよい。
【００２０】
図２は、本発明の実施の形態１におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。なお、図１、図２に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量Ｃｐが存在する。
【００２１】
図３は、本発明の実施の形態１におけるプラズマディスプレイ装置１の回路ブロック図である。プラズマディスプレイ装置１は、パネル１０、画像信号処理回路５１、データ電極駆動回路５２、走査電極駆動回路５３、維持電極駆動回路５４、タイミング発生回路５５および各回路ブロックに必要な電源を供給する電源回路（図示せず）を備えている。
【００２２】
画像信号処理回路５１は、入力された画像信号ｓｉｇをサブフィールド毎の発光・非発光を示す画像データに変換する。データ電極駆動回路５２はサブフィールド毎の画像データを各データ電極Ｄ１〜Ｄｍに対応する信号に変換し各データ電極Ｄ１〜Ｄｍを駆動する。
【００２３】
タイミング発生回路５５は、水平同期信号Ｈ、垂直同期信号Ｖをもとにして各回路ブロックの動作を制御する各種のタイミング信号を発生し、それぞれの回路ブロックへ供給する。走査電極駆動回路５３は、維持期間において走査電極ＳＣ１〜ＳＣｎに印加する維持パルスを発生するための維持パルス発生回路１００を有し、タイミング信号にもとづいて各走査電極ＳＣ１〜ＳＣｎをそれぞれ駆動する。維持電極駆動回路５４は、初期化期間において維持電極ＳＵ１〜ＳＵｎに電圧Ｖｅ１を印加する回路と、維持期間において維持電極ＳＵ１〜ＳＵｎに印加する維持パルスを発生するための維持パルス発生回路２００とを有し、タイミング信号にもとづいて維持電極ＳＵ１〜ＳＵｎを駆動する。
【００２４】
次に、パネル１０を駆動するための駆動電圧波形とその動作について説明する。プラズマディスプレイ装置１は、サブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。初期化期間では初期化放電を発生し、続く書込み放電に必要な壁電荷を各電極上に形成する。このときの初期化動作には、全ての放電セルで初期化放電を発生させる初期化動作（以下、「全セル初期化動作」と略記する）と、維持放電を行った放電セルで初期化放電を発生させる初期化動作（以下、「選択初期化動作」と略記する）とがある。書込み期間では、発光させるべき放電セルで選択的に書込み放電を発生し壁電荷を形成する。そして維持期間では、輝度重みに比例した数の維持パルスを表示電極対に交互に印加して、書込み放電を発生した放電セルで維持放電を発生させて発光させる。このときの比例定数を輝度倍率と呼ぶ。なお、サブフィールド構成の詳細については後述することとし、ここではサブフィールドにおける駆動電圧波形とその動作について説明する。
【００２５】
図４は、本発明の実施の形態１におけるパネル１０の各電極に印加する駆動電圧波形図である。図４には、全セル初期化動作を行うサブフィールドと選択初期化動作を行うサブフィールドとを示している。
【００２６】
まず、全セル初期化動作を行うサブフィールドについて説明する。
【００２７】
初期化期間前半部では、データ電極Ｄ１〜Ｄｍには電圧Ｖｄを印加する。維持電極ＳＵ１〜ＳＵｎに０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００２８】
初期化期間後半部では、データ電極Ｄ１〜Ｄｍには０（Ｖ）を、維持電極ＳＵ１〜ＳＵｎには正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧（以下、「ランプ電圧」とも記す）を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００２９】
続く書込み期間では、維持電極ＳＵ１〜ＳＵｎに電圧Ｖｅ２を、走査電極ＳＣ１〜ＳＣｎに電圧Ｖｃを印加する。
【００３０】
次に、１行目の走査電極ＳＣ１に負の走査パルス電圧Ｖａを印加するとともに、データ電極Ｄ１〜Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３１】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作を走査電極ＳＣｎのｎ行目の放電セルにいたるまで行い、書込み期間が終了する。
【００３２】
続く維持期間では、消費電力を削減するために電力回収回路を用いて駆動を行っているが、駆動電圧波形の詳細については後述することとして、ここでは維持期間における維持動作の概要について説明する。まず走査電極ＳＣ１〜ＳＣｎに正の維持パルス電圧Ｖｓを印加するとともに維持電極ＳＵ１〜ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００３３】
続いて、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対の電極間に電位差を与えることにより、書込み期間において書込み放電を起こした放電セルで維持放電が継続して行われる。
【００３４】
そして、維持期間の最後には走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉおよび維持電極ＳＵｉ上の壁電圧を消去している。具体的には、維持電極ＳＵ１〜ＳＵｎを一旦０（Ｖ）に戻した後、走査電極ＳＣ１〜ＳＣｎに維持パルス電圧Ｖｓを印加する。すると、維持放電を起こした放電セルの維持電極ＳＵｉと走査電極ＳＣｉとの間で維持放電が起こる。そしてこの放電が収束する前、すなわち放電で発生した荷電粒子が放電空間内に十分残留している間に維持電極ＳＵ１〜ＳＵｎに電圧Ｖｅ１を印加する。これにより維持電極ＳＵｉと走査電極ＳＣｉとの間の電圧差が（Ｖｓ−Ｖｅ１）の程度まで弱まる。すると、データ電極Ｄｋ上の正の壁電荷を残したまま、走査電極ＳＣ１〜ＳＣｎ上と維持電極ＳＵ１〜ＳＵｎ上との間の壁電圧はそれぞれの電極に印加した電圧の差（Ｖｓ−Ｖｅ１）の程度まで弱められる。以下、この放電を「消去放電」と呼ぶ。
【００３５】
このように、最後の維持放電、すなわち消去放電を発生させるための電圧Ｖｓを走査電極ＳＣ１〜ＳＣｎに印加した後、所定の時間間隔（以下、「消去位相差Ｔｈ１」と呼称する）の後、表示電極対の電極間の電位差を緩和するための電圧Ｖｅ１を維持電極ＳＵ１〜ＳＵｎに印加する。
【００３６】
こうして維持期間における維持動作が終了する。
【００３７】
次に、選択初期化動作を行うサブフィールドの動作について説明する。
【００３８】
選択初期化動作を行う初期化期間では、維持電極ＳＵ１〜ＳＵｎに電圧Ｖｅ１を、データ電極Ｄ１〜Ｄｍに０（Ｖ）をそれぞれ印加し、走査電極ＳＣ１〜ＳＣｎに電圧Ｖｉ３’から電圧Ｖｉ４に向かって緩やかに下降するランプ電圧を印加する。すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、前のサブフィールドで維持放電を起こさなかった放電セルについては放電することはなく、前のサブフィールドの初期化期間終了時における壁電荷がそのまま保たれる。このように選択初期化動作は、直前のサブフィールドの維持期間で維持動作を行った放電セルに対して選択的に初期化放電を行う動作である。
【００３９】
続く書込み期間の動作は全セル初期化動作を行うサブフィールドの書込み期間の動作と同様であるため説明を省略する。
【００４０】
続く維持期間では、全セル初期化動作を行うサブフィールドの維持期間と同様に、走査電極ＳＣ１〜ＳＣｎと維持電極ＳＵ１〜ＳＵｎとに交互に輝度重みに輝度倍率を乗じた数の維持パルスを印加し、表示電極対の電極間に電位差を与えることにより、書込み期間において書込み放電を起こした放電セルで維持放電が継続して行われる。
【００４１】
そして、維持期間の最後には、全セル初期化動作を行うサブフィールドの維持期間と同様に、消去放電を発生させるための電圧Ｖｓを走査電極ＳＣ１〜ＳＣｎに印加し、消去位相差Ｔｈ１の後、表示電極対の電極間の電位差を緩和するための電圧Ｖｅ１を維持電極ＳＵ１〜ＳＵｎに印加する。
【００４２】
そして詳細は後述するが、本実施の形態においては、消去位相差Ｔｈ１の期間内、すなわち、電圧Ｖｓを走査電極ＳＣ１〜ＳＣｎに印加した後、電圧Ｖｅ１を維持電極ＳＵ１〜ＳＵｎに印加する前に、データ電極Ｄ１〜Ｄｍに電圧Ｖｄを印加する。これにより、消去放電の強さを調整するとともにデータ電極Ｄｋ上の壁電荷を調整している。
【００４３】
なお、必ずしも全てのサブフィールドの消去放電においてデータ電極Ｄ１〜Ｄｍに電圧Ｖｄを印加する必要はないが、少なくとも全セル初期化動作を行うサブフィールドの直前のサブフィールドでは、消去放電においてデータ電極Ｄ１〜Ｄｍに電圧Ｖｄを印加することが望ましい。
【００４４】
次に、サブフィールド構成について説明する。図５は、本発明の実施の形態１におけるサブフィールド構成の一例を示す図である。ここでは、１フィールドを１０のサブフィールド（第１ＳＦ、第２ＳＦ、・・・、第１０ＳＦ）に分割し、各サブフィールドはそれぞれ、例えば（１、２、３、６、１１、１８、３０、４４、６０、８０）の輝度重みを持つものとして以下の説明を行う。また、第１ＳＦの初期化期間では全セル初期化動作を行い、第２ＳＦ〜第１０ＳＦの初期化期間では選択初期化動作を行うものとする。また各サブフィールドの維持期間の最後の消去放電において、消去位相差Ｔｈ１の期間内にデータ電極Ｄ１〜Ｄｍに電圧Ｖｄを印加するものとする。
【００４５】
次に、維持パルス発生回路１００、２００の詳細とその動作について説明する。図６は、本発明の実施の形態１における維持パルス発生回路１００、２００の回路図である。なお、図６にはパネル１０の電極間容量をＣｐとして示し、走査パルスおよび初期化電圧波形を発生させる回路は省略している。
【００４６】
維持パルス発生回路１００は、電力回収部１１０とクランプ部１２０とを備えている。電力回収部１１０は、電力回収用のコンデンサＣ１０、スイッチング素子Ｑ１１、Ｑ１２、逆流防止用のダイオードＤ１１、Ｄ１２、共振用のインダクタＬ１１、Ｌ１２を有している。また、クランプ部１２０は、スイッチング素子Ｑ１３、Ｑ１４を有している。そして電力回収部１１０およびクランプ部１２０は走査パルス発生回路（維持期間中は短絡状態となるため図示せず）を介して電極間容量Ｃｐの一端である走査電極２２に接続されている。
【００４７】
電力回収部１１０は、電極間容量ＣｐとインダクタＬ１１またはインダクタＬ１２とをＬＣ共振させて維持パルスの立ち上がりおよび立ち下がりを行う。維持パルスの立ち上がり時には、電力回収用のコンデンサＣ１０に蓄えられている電荷をスイッチング素子Ｑ１１、ダイオードＤ１１およびインダクタＬ１１を介して電極間容量Ｃｐに移動する。維持パルスの立ち下がり時には、電極間容量Ｃｐに蓄えられた電荷を、インダクタＬ１２、ダイオードＤ１２およびスイッチング素子Ｑ１２を介して電力回収用のコンデンサＣ１０に戻す。こうして走査電極２２へ維持パルスを印加する。このように、電力回収部１１０は電源から電力を供給されることなくＬＣ共振によって走査電極２２の駆動を行うため、理想的には消費電力が０となる。なお、電力回収用のコンデンサＣ１０は電極間容量Ｃｐに比べて十分に大きい容量を持ち、電力回収部１１０の電源として働くように、電源ＶＳの電圧値Ｖｓの半分の約Ｖｓ／２に充電されている。
【００４８】
電圧クランプ部１２０は、スイッチング素子Ｑ１３を介して走査電極２２を電源ＶＳに接続し、走査電極２２を電圧Ｖｓにクランプする。また、スイッチング素子Ｑ１４を介して走査電極２２を接地し、０（Ｖ）にクランプする。このようにして電圧クランプ部１２０は走査電極２２を駆動する。したがって、電圧クランプ部１２０による電圧印加時のインピーダンスは小さく、強い維持放電による大きな放電電流を安定して流すことができる。
【００４９】
こうして維持パルス発生回路１００は、スイッチング素子Ｑ１１、Ｑ１２、Ｑ１３、Ｑ１４を制御することによって電力回収部１１０と電圧クランプ部１２０とを用いて走査電極２２に維持パルスを印加する。なお、これらのスイッチング素子は、ＭＯＳＦＥＴやＩＧＢＴ等の一般に知られた素子を用いて構成することができる。
【００５０】
維持パルス発生回路２００は、電力回収用のコンデンサＣ２０、スイッチング素子Ｑ２１、Ｑ２２、逆流防止用のダイオードＤ２１、Ｄ２２、共振用のインダクタＬ２１、インダクタＬ２２を有する電力回収部２１０と、スイッチング素子Ｑ２３、Ｑ２４を有するクランプ部２２０とを備え、パネル１０の電極間容量Ｃｐの一端である維持電極２３に接続されている。維持パルス発生回路２００の動作は維持パルス発生回路１００と同様であるので説明を省略する。
【００５１】
また、図６には、表示電極対の電極間の電位差を緩和するための電圧Ｖｅ１を発生する電源ＶＥ、電圧Ｖｅ１を維持電極２３に印加するためのスイッチング素子Ｑ２８、Ｑ２９もあわせて示しているが、これらの動作については後述する。
【００５２】
図７は、本発明の実施の形態１におけるデータ電極駆動回路５２の回路図である。データ電極駆動回路５２は、電圧Ｖｄを発生する電源ＶＤ、スイッチング素子Ｑ１Ｄ１〜Ｑ１Ｄｍおよびスイッチング素子Ｑ２Ｄ１〜Ｑ２Ｄｍを有している。そして、スイッチング素子Ｑ１Ｄ１〜Ｑ１Ｄｍを介して各データ電極３２をそれぞれ独立して電源ＶＤに接続し、電圧Ｖｄにクランプする。また、スイッチング素子Ｑ２Ｄ１〜Ｑ２Ｄｍを介して各データ電極３２をそれぞれ独立して接地し、０（Ｖ）にクランプする。このようにしてデータ電極駆動回路５２はデータ電極３２をそれぞれ独立に駆動し、データ電極３２に正の書込みパルス電圧Ｖｄを印加する。
【００５３】
次に、維持パルス発生回路の動作と維持パルスの詳細について説明する。図８は、本発明の実施の形態１における維持パルス発生回路１００、２００の動作を示すタイミングチャートである。維持パルスの繰り返し周期（以下、「維持周期」と略記する）の１周期分をＴ１〜Ｔ６で示した６つの期間に分割し、それぞれの期間について説明する。なお、以下の説明において、スイッチング素子を導通させる動作をＯＮ、遮断させる動作をＯＦＦと表記する。この繰り返し周期とは、維持期間において表示電極対に繰り返し印加される維持パルスの間隔のことであり、例えば、期間Ｔ１〜Ｔ６によって繰り返される周期のことを表す。また、図８では、正極の波形を用いて説明をするが、本発明はこれに限られるものではない。例えば、負極の波形における実施の形態は省略するが、以下の説明の正極の波形において「立ち上がり」と表現しているものを、負極の波形においては「立ち下がり」に、正極の波形において「立ち下がり」と表現しているものを、負極の波形においては「立ち上がり」に読みかえることで、負極の波形であっても同様の効果を得ることができるものである。
【００５４】
（期間Ｔ１）
時刻ｔ１でスイッチング素子Ｑ１２をＯＮにする。すると、走査電極２２からインダクタＬ１２、ダイオードＤ１２、スイッチング素子Ｑ１２を通してコンデンサＣ１０に電流が流れ始め、走査電極２２の電圧が下がり始める。そして、時刻ｔ２でスイッチング素子Ｑ１４をＯＮにする。すると、走査電極２２はスイッチング素子Ｑ１４を通して接地されるため、走査電極２２の電圧は０（Ｖ）にクランプされる。
【００５５】
なお、スイッチング素子Ｑ２４はＯＮにされており、維持電極２３は０（Ｖ）にクランプされている。そして時刻ｔ２の直前に維持電極２３を０（Ｖ）にクランプしていたスイッチング素子Ｑ２４をＯＦＦにする。
【００５６】
（期間Ｔ２）
時刻ｔ２でスイッチング素子Ｑ２１をＯＮにする。すると、電力回収用のコンデンサＣ２０からスイッチング素子Ｑ２１、ダイオードＤ２１、インダクタＬ２１を通して維持電極２３へ電流が流れ始め、維持電極２３の電圧が上がり始める。そして、時刻ｔ３でスイッチング素子Ｑ２３をＯＮにする。すると、維持電極２３はスイッチング素子Ｑ２３を通して電源ＶＳへ接続されるため、維持電極２３は電圧Ｖｓにクランプされる。
【００５７】
（期間Ｔ３）
維持電極２３が電圧Ｖｓにクランプされると、書込み放電を起こした放電セルでは走査電極２２と維持電極２３との間の電圧差が放電開始電圧を超え維持放電が発生する。そして維持電極２３を電圧Ｖｓにクランプしていたスイッチング素子Ｑ２３は時刻ｔ４直前にＯＦＦにする。
【００５８】
なお、スイッチング素子Ｑ１２は時刻ｔ２以降、時刻ｔ５までにＯＦＦすればよく、スイッチング素子Ｑ２１は時刻ｔ３以降、時刻ｔ４までにＯＦＦすればよい。
【００５９】
（期間Ｔ４）
時刻ｔ４でスイッチング素子Ｑ２２をＯＮにする。すると、維持電極２３からインダクタＬ２２、ダイオードＤ２２、スイッチング素子Ｑ２２を通してコンデンサＣ２０に電流が流れ始め、維持電極２３の電圧が下がり始める。
【００６０】
そして、時刻ｔ５でスイッチング素子Ｑ２４をＯＮにする。すると、維持電極２３はスイッチング素子Ｑ２４を通して接地されるため、維持電極２３は０（Ｖ）にクランプされる。なお、走査電極２２を０（Ｖ）にクランプしていたスイッチング素子Ｑ１４を時刻ｔ５の直前にＯＦＦにする。
【００６１】
（期間Ｔ５）
時刻ｔ５でスイッチング素子Ｑ１１をＯＮにする。すると、電力回収用のコンデンサＣ１０からスイッチング素子Ｑ１１、ダイオードＤ１１、インダクタＬ１１を通して走査電極２２へ電流が流れ始め、走査電極２２の電圧が上がり始める。そして、時刻ｔ６でスイッチング素子Ｑ１３をＯＮにする。すると、走査電極２２は電圧Ｖｓにクランプされる。
【００６２】
（期間Ｔ６）
走査電極２２が電圧Ｖｓにクランプされると、書込み放電を起こした放電セルでは走査電極２２と維持電極２３との間の電圧差が放電開始電圧を超え維持放電が発生する。
【００６３】
なお、スイッチング素子Ｑ２２は時刻ｔ５以降、次の維持周期の時刻ｔ２までにＯＦＦすればよく、スイッチング素子Ｑ１１は時刻ｔ６以降、次の維持周期の時刻ｔ１までにＯＦＦすればよい。また、維持パルス発生回路１００、２００の出力インピーダンスを下げるために、スイッチング素子Ｑ２４は次の維持周期の時刻ｔ２直前に、スイッチング素子Ｑ１３は次の維持周期の時刻ｔ１直前にＯＦＦにすることが望ましい。
【００６４】
以上の期間Ｔ１〜Ｔ６の動作を繰り返すことにより、本実施の形態における維持パルス発生回路１００、２００は必要な数の維持パルスを走査電極２２、維持電極２３に印加する。
【００６５】
次に、消去放電を発生させる電位差を表示電極対の電極間に与える際の動作について詳細に説明する。図８の期間Ｔ７、期間Ｔ８、期間Ｔ９、期間Ｔ１０はそれぞれ上述の期間Ｔ１、期間Ｔ２、期間Ｔ３、期間Ｔ４と同様であるため説明を省略する。
【００６６】
（期間Ｔ１１）
時刻ｔ１１でスイッチング素子Ｑ１１をＯＮにする。すると、電力回収用のコンデンサＣ１０からスイッチング素子Ｑ１１、ダイオードＤ１１、インダクタＬ１１を通して走査電極２２へ電流が流れ始め、走査電極２２の電圧が上がり始める。なお、本実施の形態では、時刻ｔ１１から時刻ｔ１２までの期間Ｔ１１、すなわち維持期間における最後の維持パルスの立ち上がり時間を２５０ｎｓｅｃと設定している。そして走査電極２２の電圧がＶｓ付近まで上昇する以前の時刻ｔ１２でスイッチング素子Ｑ１３をＯＮにする。すると走査電極２２はスイッチング素子Ｑ１３を通して直接に電源ＶＳへ接続され、電圧Ｖｓにクランプされる。
【００６７】
（期間Ｔ１２）
走査電極２２の電圧が急峻に電圧Ｖｓに上昇すると、維持放電を起こした放電セルでは走査電極２２と維持電極２３との間の電圧差が放電開始電圧を超え維持放電が発生する。
【００６８】
この期間Ｔ１２のうちの時刻ｔ１２ｃで、スイッチング素子Ｑ２Ｄ１〜Ｑ２ＤｍをＯＦＦにするとともにスイッチング素子Ｑ１Ｄ１〜Ｑ１ＤｍをＯＮにする。するとデータ電極３２はスイッチング素子Ｑ１Ｄ１〜Ｑ１Ｄｍを通して直接に電源ＶＤへ接続されて電圧Ｖｄにクランプされ、データ電極３２の電位は０（Ｖ）から正の電位Ｖｄへと変化する。時刻ｔ１２ｃは期間Ｔ１２で発生した維持放電が収束する前、すなわち維持放電で発生した荷電粒子が放電空間内に十分残留している時刻である。そして荷電粒子が放電空間内に十分残留している間に放電空間内の電界が変化するので、この変化した電界を緩和するように荷電粒子が再配置されて壁電荷を形成する。このとき、データ電極３２に印加されている電圧Ｖｄによって走査電極２２とデータ電極３２との電位差は小さくなり、この電位差を緩和するように放電による荷電粒子が壁電荷が形成される。こうして形成される壁電圧は、データ電極Ｄ１〜Ｄｍに電圧Ｖｄを印加しない場合に比べてやや弱められる。このようにして、消去放電の強さを調整するとともにデータ電極Ｄｋ上の壁電荷を調整している。
【００６９】
そして、維持電極２３を０（Ｖ）にクランプしていたスイッチング素子Ｑ２４を時刻ｔ１３直前にＯＦＦにする。
【００７０】
（期間Ｔ１３）
時刻ｔ１３でスイッチング素子Ｑ２８およびスイッチング素子Ｑ２９をＯＮにする。すると維持電極２３はスイッチング素子Ｑ２８、Ｑ２９を通して消去用の電源ＶＥへ接続されるため、維持電極２３の電圧は急峻にＶｅ１まで上昇する。時刻ｔ１３は期間Ｔ１２で発生した維持放電が収束する前、すなわち維持放電で発生した荷電粒子が放電空間内に十分残留している時刻である。そして荷電粒子が放電空間内に十分残留している間に放電空間内の電界が変化するので、この変化した電界を緩和するように荷電粒子が再配置されて壁電荷を形成する。このとき、走査電極２２に印加されている電圧Ｖｓと維持電極２３に印加されている電圧Ｖｅ１との差が小さいため、走査電極２２上および維持電極２３上の壁電圧が弱められる。このように、最後の維持放電を発生させる電位差は、最後の維持放電が収束する前に表示電極対の電極間に与える電位差を緩和するように変化させた細幅パルス形状の電位差であり、そのパルス幅は消去位相差Ｔｈ１、すなわち時刻ｔ１２から時刻ｔ１３までの期間Ｔ１２の時間間隔である。そして発生する維持放電は消去放電である。
【００７１】
ここで、実際に放電セルに印加される細幅パルス形状の電位差はスイッチング素子を介して印加されるので、厳密には消去位相差が時刻ｔ１２から時刻ｔ１３までの時間間隔に等しくならない可能性もあるが、スイッチング素子の遅れ時間等に大きな差がない限り消去位相差Ｔｈ１にほぼ等しいと考えてよい。そして本実施の形態では、消去位相差Ｔｈ１である期間Ｔ１２の時間を３００ｎｓｅｃに設定している。さらに、維持期間の最後の維持パルスの立ち上がり時間である期間Ｔ１１の時間を２５０ｎｓｅｃに設定して他の維持パルスにおける立ち上がり時間である期間Ｔ２、期間Ｔ５の５００ｎｓｅｃよりも短くしている。
【００７２】
このように、最後の維持放電、すなわち消去放電を発生させる期間Ｔ１２の時刻ｔ１２ｃで、データ電極３２に電圧Ｖｄを印加することにより書込み放電が安定する理由については完全に解明されたわけではないが、次のように考えることができる。消去放電に引き続き初期化動作が行われるが、初期化放電はデータ電極Ｄ１〜Ｄｍと走査電極ＳＣ１〜ＳＣｎの間、または走査電極ＳＣ１〜ＳＣｎと維持電極ＳＵ１〜ＳＵｎとの間の放電ギャップ近傍の局在した領域で発生する。したがって、何らかの理由で放電セルの周辺部等に不要な壁電荷が蓄積した場合、それら不要な壁電荷を初期化放電で取り除くことができず、残留したままになる可能性がある。そして、維持放電の最後の消去放電が強すぎる場合、周辺部等に不要な壁電荷が蓄積する可能性がある。
【００７３】
しかし本実施の形態においては、消去放電においてデータ電極Ｄ１〜Ｄｍに電圧Ｖｄを印加することで消去放電の強さを調整し、放電セルの周辺部を含むデータ電極Ｄｋ上の壁電荷を調整することができるので、不要電荷の蓄積を抑えることができる。
【００７４】
なお、消去放電において、データ電極３２に電圧Ｖｄを印加することで、続く初期化放電を弱い放電とすることができる。そこで、全セル初期化動作を行うサブフィールドを第２ＳＦとすることでコントラスト比をさらに向上させることが可能となる。次に、このサブフィールド構成について説明する。
【００７５】
（実施の形態２）
本発明の実施の形態２におけるパネル１０の構造、駆動電圧波形の概要等は実施の形態１と同様である。本実施の形態が実施の形態１と異なる点は、サブフィールド構成を変え、全セル初期化動作を行うサブフィールドを第２ＳＦとし、第１ＳＦの維持期間の維持放電を消去放電のみとし、かつ消去放電を発生させる期間Ｔ１２の時刻ｔ１２ｃで、データ電極３２に電圧Ｖｄを印加する構成とした点である。
【００７６】
図９は、本発明の実施の形態２におけるサブフィールド構成を示す図である。本実施の形態においては、１フィールドを１１のサブフィールド（第１ＳＦ、第２ＳＦ、・・・、第１１ＳＦ）に分割し、各サブフィールドはそれぞれ、例えば（０、１、２、３、６、１１、１８、３０、４４、６０、８０）の輝度重みを持つものとする。本実施の形態では、第１ＳＦの輝度重みを０としているが、これは、維持期間の維持放電を消去放電のみとすることを意味している。また、第２ＳＦの初期化期間では全セル初期化動作を行い、第１ＳＦ、第３ＳＦ〜第１１ＳＦの初期化期間では選択初期化動作を行うものとする。なお、第２ＳＦ〜第１１ＳＦの維持期間の消去放電では必ずしもデータ電極３２に電圧Ｖｄを印加しなくてもよい。
【００７７】
図１０は、本発明の実施の形態２におけるパネル１０の各電極に印加する駆動電圧波形図である。図１０に示すように、１フィールド期間の最後のサブフィールド（第１１ＳＦ）の維持期間の最後では、データ電極Ｄ１〜Ｄｍを０（Ｖ）に保持したまま、最後の維持放電、すなわち消去放電を発生させるための電圧Ｖｓを走査電極ＳＣ１〜ＳＣｎに印加した後、消去位相差Ｔｈ１の後、表示電極対の電極間の電位差を緩和するための電圧Ｖｅ１を維持電極ＳＵ１〜ＳＵｎに印加する。こうして走査電極ＳＣ１〜ＳＣｎと維持電極ＳＵ１〜ＳＵｎとの間に細幅パルス状の電圧差を与えて消去放電を発生させ、データ電極Ｄｋ上の正の壁電圧を残したまま、走査電極ＳＣｉおよび維持電極ＳＵｉ上の壁電圧を消去する。
【００７８】
続くフィールドの第１ＳＦは、選択初期化動作を行うサブフィールドである。選択初期化動作を行う初期化期間では、維持電極ＳＵ１〜ＳＵｎに電圧Ｖｅ１を、データ電極Ｄ１〜Ｄｍに０（Ｖ）をそれぞれ印加し、走査電極ＳＣ１〜ＳＣｎに電圧Ｖｉ３’から電圧Ｖｉ４に向かって緩やかに下降するランプ電圧を印加する。すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、前のサブフィールドで維持放電を起こさなかった放電セルについては放電することはなく、前のサブフィールドの初期化期間終了時における壁電荷がそのまま保たれる。
【００７９】
続く書込み期間の動作は図４の駆動電圧波形図で説明した書込み期間の動作と同様であるため説明を省略する。そして、続く維持期間では、上述したように第１ＳＦの輝度重みを０としているので、消去放電のみを発生させる。したがって第１ＳＦの画像表示に関与する輝度を低くできるので、細やかな階調の表示が可能となり、より滑らかな画像を表示することができる。
【００８０】
すなわちこの維持期間では、表示電極対２８に対し、消去放電を発生させるための電圧Ｖｓの走査電極ＳＣ１〜ＳＣｎへの印加と、その印加から消去位相差Ｔｈ１の後、表示電極対の電極間の電位差を緩和するための電圧Ｖｅ１の維持電極ＳＵ１〜ＳＵｎへの印加のみを行う。そして、この消去位相差Ｔｈ１の間にデータ電極３２に電圧Ｖｄを印加し、消去放電の強さを調整するとともにデータ電極Ｄｋ上の壁電荷を調整している。
【００８１】
続く第２ＳＦは全セル初期化動作を行うサブフィールドである。この初期化期間では、まず、維持電極ＳＵ１〜ＳＵｎに電圧Ｖｅ１を印加したままデータ電極Ｄ１〜Ｄｍに０（Ｖ）を印加し、走査電極ＳＣ１〜ＳＣｎには電圧Ｖｉ３’から電圧Ｖｉ４に向かって緩やかに下降するランプ電圧を印加する。その後、走査電極ＳＣ１〜ＳＣｎおよび維持電極ＳＵ１〜ＳＵｎには図４の駆動電圧波形図で説明した全セル初期化動作と同様の駆動電圧波形を印加して全セル初期化動作を行う。このとき、初期化期間前半部では、データ電極３２に再び電圧Ｖｄを印加する。そして、初期化期間後半部では、データ電極３２に０（Ｖ）を印加する。
【００８２】
この初期化期間前半部で発生する初期化放電の強さは、放電セル内に形成された壁電圧の強さに依存するが、本実施の形態では、データ電極Ｄ１〜Ｄｍ上部に形成される正の壁電圧が弱められており、かつデータ電極３２に電圧Ｖｄを印加しているので、弱い初期化放電となり、その放電に伴う発光が弱まって、コントラスト比をさらに向上させることが可能となる。
【００８３】
続く書込み期間の動作は図４の駆動電圧波形図で説明した書込み期間の動作と同様であるため説明を省略する。続く維持期間の動作も維持パルスの数を除いて同様であるが、本実施の形態では、第２ＳＦ〜第１０ＳＦの維持期間の消去放電発生時には、データ電極Ｄ１〜Ｄｍを０（Ｖ）に維持したままとする。
【００８４】
以上示したように、本実施の形態では、サブフィールド構成を変え、全セル初期化動作を行うサブフィールドの直前のサブフィールドにおける消去放電発生時に、データ電極３２に電圧Ｖｄを印加する構成とすることで、実施の形態１で示した効果に加え、さらに、全セル初期化動作における放電を弱めその放電に伴う発光を弱めてコントラスト比をさらに向上させることが可能となる。
【００８５】
（実施の形態３）
本発明の実施の形態３におけるパネル１０の構造、駆動電圧波形の概要等は実施の形態２と同様である。また、サブフィールド構成、具体的にはサブフィールド数、輝度重み、および第２ＳＦを全セル初期化動作を行うサブフィールドとし、第１ＳＦ、第３ＳＦ〜第１１ＳＦを選択初期化動作を行うサブフィールドとする構成も実施の形態２と同様である。本実施の形態が実施の形態２と異なる点は、第１ＳＦの消去放電から第２ＳＦの初期化放電にいたるまでの駆動電圧波形の形状である。
【００８６】
図１１は、本発明の実施の形態３におけるパネル１０の各電極に印加する駆動電圧波形図である。図１１に示す駆動電圧波形が図１０に示した駆動電圧波形と異なる点は、第１ＳＦの消去放電から第２ＳＦの初期化放電にいたるまでの波形形状であるので、ここでは、その異なる駆動電圧波形の部分について説明する。
【００８７】
図１１に示すように、第１ＳＦの維持期間の最後では、消去放電を発生させるための電圧Ｖｓを走査電極ＳＣ１〜ＳＣｎへ印加し、消去位相差Ｔｈ１の後、表示電極対の電極間の電位差を緩和するための電圧Ｖｅ１を維持電極ＳＵ１〜ＳＵｎへ印加する。そして、この消去位相差Ｔｈ１の間で、データ電極３２に電圧Ｖｄを印加し、消去放電でデータ電極３２上に形成される壁電圧を弱める。
【００８８】
続く第２ＳＦの初期化期間では、維持電極ＳＵ１〜ＳＵｎには電圧Ｖｅ１を、データ電極Ｄ１〜Ｄｍには電圧Ｖｄを印加したままとし、また、走査電極ＳＣ１〜ＳＣｎには、電圧Ｖｓを印加したままにして図１０に示したような電圧Ｖｉ３’から電圧Ｖｉ４に向かって緩やかに下降するランプ電圧は印加しない。したがって、図１０に示した駆動電圧波形では、緩やかに下降するランプ電圧の走査電極ＳＣ１〜ＳＣｎへの印加によって前のサブフィールドの維持期間で維持放電を起こした放電セルで微弱な初期化放電が発生したが、本実施の形態では、この初期化放電が発生しない。このため、不要な発光をさらに低減することが可能となる。なお、放電セル内の壁電荷は、第１ＳＦの終了時における消去放電によって形成されたものがそのまま保たれる。
【００８９】
このように、本実施の形態では、第１ＳＦの画像表示に関与する輝度をさらに低くできるので、さらに滑らかな画像を表示することができる。
【００９０】
また、本実施の形態では、電力供給用と電力回収用とで異なるインダクタを用いる構成を説明したが、何らこの構成に限定されるものではなく、電力供給用と電力回収用とで同一のインダクタを用いる構成としてもかまわない。
【００９１】
また、本実施の形態では、維持パルスの立ち下がり時間である期間Ｔ１、Ｔ４を維持パルスの立ち上がり時間である期間Ｔ２、Ｔ５よりも短くなるように設定したが、本発明はこの条件を必ずしも満足しなくてもよい。
【００９２】
また、本実施の形態では、放電ガスのキセノン分圧を１０％としたが、他のキセノン分圧であってもそのパネルに応じた駆動電圧に設定すればよい。
【００９３】
また、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００９４】
本発明のパネルの駆動方法およびプラズマディスプレイ装置は、大画面・高輝度パネルであっても、書込み放電を発生させるために必要な電圧を高くすることなく、安定した書込み放電を発生させることができ、画像表示品質のよいパネルの駆動方法およびプラズマディスプレイ装置として有用である。
【図面の簡単な説明】
【００９５】
【図１】本発明の実施の形態１におけるパネルの構造を示す分解斜視図
【図２】同パネルの電極配列図
【図３】本発明の実施の形態１におけるプラズマディスプレイ装置の回路ブロック図
【図４】本発明の実施の形態１におけるパネルの各電極に印加する駆動電圧波形図
【図５】本発明の実施の形態１におけるサブフィールド構成の一例を示す図
【図６】本発明の実施の形態１における維持パルス発生回路の回路図
【図７】本発明の実施の形態１におけるデータ電極駆動回路の回路図
【図８】本発明の実施の形態１における維持パルス発生回路の動作を示すタイミングチャート
【図９】本発明の実施の形態２におけるサブフィールド構成を示す図
【図１０】本発明の実施の形態２におけるパネルの各電極に印加する駆動電圧波形図
【図１１】本発明の実施の形態３におけるパネルの各電極に印加する駆動電圧波形図
【符号の説明】
【００９６】
１    プラズマディスプレイ装置
１０    パネル
２１    （ガラス製の）前面板
２２    走査電極
２３    維持電極
２４，３３    誘電体層
２５    保護層
２８    表示電極対
３１    背面板
３２    データ電極
３４    隔壁
３５    蛍光体層
５１    画像信号処理回路
５２    データ電極駆動回路
５３    走査電極駆動回路
５４    維持電極駆動回路
５５    タイミング発生回路
１００，２００    維持パルス発生回路
１１０，２１０    電力回収部
１２０，２２０    （電圧）クランプ部
Ｃ１０，Ｃ２０    （電力回収用の）コンデンサ
Ｃｐ    電極間容量
Ｑ１１，Ｑ１２，Ｑ１３，Ｑ１４，Ｑ２１，Ｑ２２，Ｑ２３，Ｑ２４，Ｑ２８，Ｑ２９，Ｑ１Ｄ１〜Ｑ１Ｄｍ，Ｑ２Ｄ１〜Ｑ２Ｄｍ    スイッチング素子
Ｄ１１，Ｄ１２，Ｄ２１，Ｄ２２    （逆流防止用の）ダイオード
Ｌ１１，Ｌ１２，Ｌ２１，Ｌ２２    インダクタ
【図１】
2007232827.tif 000003
【図２】
2007232827.tif 000004
【図３】
2007232827.tif 000005
【図４】
2007232827.tif 000006
【図５】
2007232827.tif 000007
【図６】
2007232827.tif 000008
【図７】
2007232827.tif 000009
【図８】
2007232827.tif 000010
【図９】
2007232827.tif 000011
【図１０】
2007232827.tif 000012
【図１１】
2007232827.tif 000013